(57)【特許請求の範囲】
【請求項１】
一面側に開口する略箱状をなし内部にランプが収容されると共に取付面に互いの側壁を略当接させて連設取り付けされる器具本体と、この器具本体の開口周縁を覆う枠本体を有し前記器具本体に着脱自在に取り付けられる枠体と、この枠体に保持されて前記器具本体の開口を覆って配設される透光性パネルとを備えてなる照明器具において、前記枠本体を、前記器具本体の連設側の側壁以外の他の側壁の前記開口側周縁に対応させて形成すると共に、前記器具本体の開口を挟んで対向する枠本体の上側に、前記ランプと略平行をなす水平片を有して前記枠本体を連結する補強部材を設け、この補強部材の水平片を、前記ランプからの光を透光性パネルの前記器具本体の連設側の側壁の開口側周縁に対向する部位に導く局所配光制御部として、前記器具本体の連設側の側壁近傍であって前記ランプと前記透光性パネルとの間に設けたことを特徴とする照明器具。
【発明の詳細な説明】
【０００１】
【発明の属する技術分野】
本発明は、照明器具に関する。
【０００２】
【従来の技術】
図６は、取付面である天井に設けられた埋込穴に複数の器具本体が連設されるようにされた従来の照明器具を示すもので、この照明器具は、器具本体（図示せず）と、枠体１と、透光性パネル２とを備えて構成されている。
【０００３】
器具本体は、下面側に開口し内部にランプが収容された略箱状をなし、複数の器具本体が、その側壁を略当接させるように連設されて取付けられるようにされている。枠体１は、各器具本体毎に、その開口周端である器具本体の側壁の下端縁を覆うような４本の枠本体１ａを組み合わせて略ロ字状の外形をなすように形成されており、その枠本体１ａに互いに平行に配設される複数の桟１ｂが固着されて構成されている。そして、その枠体１には透光性パネル２が載置されて器具本体の開口を覆うように装着されており、この枠体１は、連設配設される器具本体に装着されることにより、略ロ字状に組み立てられた４本の枠本体１ａのうちの１つが、隣接配設される枠体１の枠本体１ａの１つと当接する。
【０００４】
【発明が解決しようとする課題】
しかしながら、このように構成された従来の照明器具においては、連設配設される器具本体の連設側の側壁の下縁に対応して枠体１の枠本体１ａが存在して照明器具としての一体感が得られないという問題点があった。
【０００５】
そこで、本願発明者は、図７に示すように、連設配設される器具本体３の連設側の側壁３ａの下縁には、その側壁３ａに対応した枠体１の枠本体１ａを設けず、器具本体３の他の側壁３ｂ側には対応して枠体１の枠本体１ａを設けた照明器具を考案した。しかしながら、この照明器具でも、複数の器具本体３が連設取付けされており、器具本体３の連設側の側壁３ａの下側には枠本体１ａがないために、連設された複数の照明器具は、全体として１つの照明器具とみなされるものの、器具本体３の連設側には、隣接する器具本体３にそれぞれ収容されたランプ４間を遮って側壁３ａが存在するために、その側壁３ａがランプ４から透光性パネル２の連設側へ向かう光を遮光して、透光性パネル２の連設部が輝度が低くなり、透光性パネル２上に輝度むらが生じて見栄えが悪いという問題点があった。この輝度むらを防止するためには、ランプ４と透光性パネル２の距離を大きくすることも考えられるが、この場合には器具本体３が大型化してしまうという問題点があった。
【０００６】
本発明は、上記問題点に鑑みてなされたもので、その目的とするところは、器具本体を大型化することなく、連設された器具本体に装着される透光性パネルに輝度むらが生じにくくした照明器具を提供することにある。
【０００７】
【課題を解決するための手段】
本発明は上記問題点を解決するため、請求項１記載の発明にあっては、一面側に開口する略箱状をなし内部にランプが収容されると共に取付面に互いの側壁を略当接させて連設取り付けされる器具本体と、この器具本体の開口周縁を覆う枠本体を有し前記器具本体に着脱自在に取り付けられる枠体と、この枠体に保持されて前記器具本体の開口を覆って配設される透光性パネルとを備えてなる照明器具において、前記枠本体を、前記器具本体の連設側の側壁以外の他の側壁の前記開口側周縁に対応させて形成すると共に、前記器具本体の開口を挟んで対向する枠本体の上側に、前記ランプと略平行をなす水平片を有して前記枠本体を連結する補強部材を設け、この補強部材の水平片を、前記ランプからの光を透光性パネルの前記器具本体の連設側の側壁の開口側周縁に対向する部位に導く局所配光制御部として、前記器具本体の連設側の側壁近傍であって前記ランプと前記透光性パネルとの間に設けたことを特徴とする。
【００１０】
【発明の実施の形態】
図１及び図２は、第１の参考例を示すものであり、この照明器具は、取付面である天井に設けられた埋込穴に、複数の器具が埋め込み取付けされて連結取付け（連設）されるものであって、枠体１と、透光性パネル２、器具本体３、及び局所配光制御部５とを備えて構成されている。
【００１１】
器具本体３は、金属製であって、略四角形状の天板３ｃの周端が折り曲げられて形成されたような一面側である下方に開口した略箱状をなし、連設側の側壁３ａよりも、取付面６である天井６ａに設けられた埋込穴６ｂの周端と対向する他の側壁３ｂが下方に突出するように構成されている。また、他の側壁３ｂの下端には、天井６ａの埋込穴６ｂ周端の天井５下面に当接する外鍔３ｄが設けられており、器具本体３の開口を挟んで対向する他の側壁３ｂの内面側には、器具本体３の内方に突出して枠体１を取付けるための複数の係止爪３ｅが設けられている。また、器具本体３の内部には、天板３ｃに取り付けられた反射板７や、反射板７に取り付けられて複数のランプ４である直管形蛍光灯を保持させるソケット４ａ、及びランプ４を点灯させる点灯装置（図示せず）等が収容されている。そして、器具本体３は、外鍔３ｄを天井６ａに設けられた埋込穴６ｂの周端近傍の下面に当接させるとともに、隣接配設される器具本体３との間で、互いに連設側の側壁３ａを略当接させるように対向させて取付けられるようにされている。
【００１２】
枠体１は、透光性パネル２を保持させて器具本体３の開口側に装着されるものであって、天井６ａに設けられた埋込穴６ｂの周端に対向するような枠本体１ａを備えて外形が構成されたもので、連設される両端の枠体１は、３本の長尺の枠本体１ａにより平面視が略コ字状に形成され、他の枠体１は、２本の長尺の枠本体１ａにより平面視が略ニ字状に形成されている。また、各枠体１の器具本体３の開口を挟んで対向する枠本体１ａ間には、透光性パネル２の端縁を保持させるための例えばアルミ押し出し成型等により形成された細幅の複数の桟１ｂが固着されている。
【００１３】
また、各枠体１の器具本体３の開口を挟んで対向する枠本体１ａの内側には、透光性パネル２を載置する内枠部１ｃが設けられ、枠本体１ａの内枠部１ｃの上端と略対向する部位の複数個所には、透光性パネル２が内枠部１ｃ側から浮き上がらないようにパネル押さえ１ｈが設けられている。そして、その枠本体１ａ間には、一方の下端が一方の枠本体１ａに固着されて上方に突設され、上端に水平片１ｄを有して他方の下端が他方の枠本体１ａに固着されてなる補強部材１ｅが、少なくとも枠本体１ａの両端近傍を含む複数個所に設けられている。さらには、各枠体１の器具本体３の開口を挟んで対向する枠本体１ａには、器具本体３の係止爪３ｅに対向する位置に、枠体１を器具本体３に装着させるためのＶ字ばね１ｆが設けられている。
【００１４】
局所配光制御部５は、ランプ４と透光性パネル２との間で器具本体３の連設側の側壁３ａに取付けられた板状の補助反射板５ａであって、上端側が器具本体３の内側に傾くように設けられて、器具本体１の連設側の側壁３ａに近接したランプ４側から放射される光を、器具本体１の連設側の側壁３ａの下側に反射させて、透光性パネル２の連設部に導くようにされている。
【００１５】
このように構成されているため、本参考例における照明器具においては、透光性パネル２の連設部の輝度が、局所配光制御部５により導かれる光により上昇するため、連設された透光性パネル２に輝度むらが少なくなって、見栄えが良くなると共に、照明器具に一体感が得られる。また、透光性パネル２に輝度むらが少なくなるため、器具本体３の高さを低くすることができる。
【００１６】
図３は、本発明の第２の参考例を示すものであり、前記第１の参考例と異なる点は、局所配光制御部５を補助反射板５ａに代えて、例えばアクリル樹脂等からなるプリズム板５ｂとし、器具本体１の連設側の側壁３ａに近接したランプ４側から放射されてプリズム板５ｂに入射した光を、器具本体１の連設側の側壁３ａの下側の透光性パネル２の連設部に導くようにした点であり、他は前記第１の参考例と同様に構成されている。このように構成しても前記第１の参考例と同様の効果を奏する。
【００１７】
図４は、本発明の照明器具の実施の形態を示すものであり、前記第１の参考例と異なる点は、局所配光制御部５を、補助反射板５ａに代えて、ランプ４と略平行に配設される枠体１の補強部材１ｅの水平片１ｄを、器具本体１の連設側が下側となるように傾けて、水平片１ｄの下面を例えば白色塗装、または鏡面処理等を施して反射面として形成させた点であり、他は第１の参考例と同様に構成されている。このように構成しても前記第１の参考例と同様の効果を奏すると共に、局所配光制御部５が補強部材１ｅの一部であるため、部品点数を削減できる。
【００１８】
以上の実施形態においては、いずれも枠本体１ａを、器具本体３の連設側の側壁３ａ以外の他の側壁３ｂの開口側周縁に対応させて形成すると共に、器具本体３の連設側の側壁３ａの近傍に、ランプ４からの光を透光性パネル２の器具本体３の連設側の側壁３ａの開口側周縁に対向する部位に導く局所配光制御部５をランプ４と透光性パネル２との間に設けているので、ランプ４から透光性パネル２の連設側の側壁３ａへ向かう光が、連設側の側壁３ａで遮光されることなく、透光性パネル２へ向かうので、透光性パネル２の連設部の輝度が低くならず、透光性パネル２上に輝度むらが生じず、見栄えが悪くならない。
【００１９】
図５は、第３の参考例を示すものであり、前記第１の参考例と異なる点は、局所配光制御部５である補助反射板５ａを、器具本体１の連設側の側壁３ａに設けるのに代えて、最も外側に位置するランプ４の器具本体３の外側で、反射板７を下方に曲げて反射板７と一体で形成した点であり、他は第１の参考例と同様に構成されている。このように構成しても前記第１の参考例と同様の効果を奏すると共に、局所配光制御部５が反射板７と一体であるため、部品点数を削減できる。
【００２０】
なお、前記実施の形態においては、照明器具が取付面６である天井６ａに埋め込み取付けされるものとしたが、本発明はこれに限らず、天井に直付け取付けされるものであってもよく、取付面も天井に限られるものではない。また、局所配光制御部５を、連設部を挟んで一方側にのみ設けたものであっても、両側に設けたものであってもよい。
【００２１】
【発明の効果】
このように構成されているため本発明は、請求項１記載の発明にあっては、透光性パネルの連設部の輝度が、局所配光制御部により上昇させられるため、連設された透光性パネルに輝度むらが少なくなって、見栄えが良くなると共に、照明器具に一体感が得られる。また、透光性パネルに輝度むらが少なくなるため、器具本体の高さを低くすることができる。さらに、局所配光制御部が補強部材の一部であるため、部品点数を削減できる。
【図面の簡単な説明】
【図１】本発明の照明器具の第１の実施の形態を示す要部断面状態の正面図である。
【図２】同上の概略分解斜視図である。
【図３】本発明の照明器具の第２の実施の形態を示す要部断面状態の正面図である。
【図４】本発明の照明器具の第３の実施の形態を示す要部断面状態の正面図である。
【図５】本発明の照明器具の第４の実施の形態を示す要部断面状態の正面図である。
【図６】            従来の照明器具を示すもので、(a) は下面から見た模式図、(b) は透光性パネル上での輝度分布図である。
【図７】            本願発明者が考案した照明器具を示すもので、(a) は断面状態の模式図、(b)は下面から見た模式図、(c) は透光性パネル上での輝度分布図である。
【符号の説明】
１      枠体
１ａ    枠本体
１ｂ    桟
１ｄ    水平片
１ｅ    補強部材
２      透光性パネル
３      器具本体
３ａ    連設側の側壁
３ｂ    他の側壁
４      ランプ
５      局所配光制御部
６      取付面
【図１】
0003814918.tif 000002
【図２】
0003814918.tif 000003
【図３】
0003814918.tif 000004
【図４】
0003814918.tif 000005
【図５】
0003814918.tif 000006
【図６】
0003814918.tif 000007
【図７】
0003814918.tif 000008